(57)【要約】【課題】主に、耐火被覆材の作業性を向上し得るようにする。【解決手段】建物１の外面に、下階２の外壁材３と上階４の外壁材５とが上下に設置され、下階２の外壁材３および上階４の外壁材５は、下階２と上階４との間に位置する梁６に、上下方向７へ延びる下階２のスタッド材８および上階４のスタッド材９を用いてそれぞれ取付けられている建物１の外壁設置構造に関する。  梁６の少なくとも外側部および上部に耐火被覆材４１が設置されている。  梁６の上部に耐火被覆材４１の厚みよりも高い嵩上げピース４２が取付けられている。  上階４のスタッド材９は、嵩上げピース４２の上面部４６に取付けられている。【選択図】図１
2020197085.tif 000002
【特許請求の範囲】
【請求項１】
建物の外面に、下階の外壁材と上階の外壁材とが上下に設置され、前記下階の外壁材および前記上階の外壁材は、下階と上階との間に位置する梁に、上下方向へ延びる下階のスタッド材および上階のスタッド材を用いてそれぞれ取付けられている建物の外壁設置構造であって、
前記梁の少なくとも外側部および上部に耐火被覆材が設置され、
前記梁の上部に前記耐火被覆材の厚みよりも高い嵩上げピースが取付けられ、
前記上階のスタッド材は、前記嵩上げピースの上面に取付けられていることを特徴とする建物の外壁設置構造。
【請求項２】
請求項１に記載の建物の外壁設置構造であって、
前記上階のスタッド材は、下端側に、前記梁の下部の位置まで延びる延長部を有し、
前記上階の外壁材は、下端側に、前記延長部に沿って前記梁の下部の位置まで延びる下方拡張部を有しており、
前記延長部は、内側部分に、前記梁および前記耐火被覆材との干渉を防止するための切欠部を有していることを特徴とする建物の外壁設置構造。
【請求項３】
請求項１または請求項２に記載の建物の外壁設置構造であって、
隣接する前記上階のスタッド材の下端部分間に、横へ延びるランナーが設置され、ていることを特徴とする建物の外壁設置構造。
【請求項４】
請求項３に記載の建物の外壁設置構造であって、
前記ランナーおよび前記上階のスタッド材の下端部に沿って、下方へ延びる防水シートが取付けられていることを特徴とする建物の外壁設置構造。
【発明の詳細な説明】
【技術分野】
【０００１】
この発明は、建物の外壁設置構造に関するものである。
【背景技術】
【０００２】
建物は、その外面に、下階の外壁材と上階の外壁材とが上下に分けて設置されている（例えば、特許文献１参照）。
【先行技術文献】
【特許文献】
【０００３】
【特許文献１】特開２００３−２４９８２号公報
【発明の概要】
【発明が解決しようとする課題】
【０００４】
既存の建物の場合、例えば、建物の外面に対し、下階と上階との間に位置する梁の外側の部分を空けて下階の外壁材と上階の外壁材をそれぞれ取付け、その後で、梁の外側の空けておいた部分に、耐火被覆材を設置するようにしていた。そのため、梁の外側の耐火被覆材の設置が、他の部分に設けられる耐火被覆材などとは工程が別になってしまい、耐火被覆材全体としての作業性が良くなかった。なお、梁の外側の耐火被覆材を設置した部分は、胴差や胴差状の外壁材などの部材を後から設置することで覆い隠される。
【０００５】
そこで、本発明は、主に、上記した問題点を解決することを目的としている。
【課題を解決するための手段】
【０００６】
上記課題を解決するために、本発明は、
建物の外面に、下階の外壁材と上階の外壁材とが上下に設置され、前記下階の外壁材および前記上階の外壁材は、下階と上階との間に位置する梁に、上下方向へ延びる下階のスタッド材および上階のスタッド材を用いてそれぞれ取付けられている建物の外壁設置構造であって、
前記梁の少なくとも外側部および上部に耐火被覆材が設置され、
前記梁の上部に前記耐火被覆材の厚みよりも高い嵩上げピースが取付けられ、
前記上階のスタッド材は、前記嵩上げピースの上部に取付けられていることを特徴とする。
【発明の効果】
【０００７】
本発明によれば、上記構成によって、耐火被覆材の作業性を向上することなどができる。
【図面の簡単な説明】
【０００８】
【図１】本実施の形態にかかる建物の外壁設置構造を示す、下階と上階との間に位置する梁周辺の縦断面図である。
【図１Ａ】図１のＡ部分の拡大図である。
【図２】図１のＢ−Ｂ矢視線の位置における建物の横断面図である。
【図３】図１の梁とスタッド材との関係を示す図である。このうち、（ａ）は斜視図、（ｂ）は側面図である。
【図４】上階のスタッド材の部品図である。このうち、（ａ）はスタッド材の全体正面図、（ｂ）はスタッド材の全体側面図、（ｃ）はスタッド材の下端部の部分拡大正面図、（ｄ）はスタッド材の上端部および下端部を部分的に抜き出した部分拡大側面図、（ｅ）はスタッド材の上端部の部分拡大端面図、（ｆ）はスタッド材の上端部の部分拡大側面図、（ｇ）はスタッド材の下端部の部分拡大端面図である。
【図５】嵩上げピースの部品図である。このうち、（ａ）は嵩上げピースの正面図、（ｂ）は嵩上げピースの平面図、（ｃ）は嵩上げピースの側面図である。
【図６】ランナーの部品図である。このうち、（ａ）はランナーの正面図、（ｂ）はランナーの端面図である。
【発明を実施するための形態】
【０００９】
以下、本実施の形態を、図面を用いて詳細に説明する。
図１〜図６は、この実施の形態を説明するためのものである。
【実施例１】
【００１０】
＜構成＞以下、構成について説明する。
図１（〜図３）に示すように、建物１の外面には、下階２の外壁材３と上階４の外壁材５とが上下に分けて設置される。下階２の外壁材３および上階４の外壁材５は、下階２と上階４との間に位置する梁６に、上下方向７へ延びる下階２のスタッド材８および上階４のスタッド材９を用いてそれぞれ取付けられている。
【００１１】
ここで、建物１は、どのようなものであっても良いが、この実施例では耐火建築物などを想定している。耐火建築物は、共同住宅や防火地域の住宅に対して必要とされる耐火構造を備えた建築物のことであり、例えば、敷地面積が小さい土地や、建ぺい率や地価が高い都市部の土地などに多く見られる３・４階建の建築物などに適用されている。
【００１２】
外壁材３，５は、建物１の外面に取付けられて、建物１を保護すると共に、建物１の外観意匠を構成する部材である。外壁材３，５は、所要の大きさを有する面材（外壁パネル）とされる。下階２の外壁材３は建物１の下階２の外面に設置され、上階４の外壁材５は建物１の上階４の外面に設置される。この実施例では、下階２とほぼ等しい高さを有する下階２の外壁材３と、上階４とほぼ等しい高さを有する上階４の外壁材５とが用いられている。但し、下階２の外壁材３および上階４の外壁材５の高さや大きさは、これに限るものではない。また、外壁材３，５は、どのような意匠を有するものとしても良いが、この実施例では、例えば、タイル調のものなどとしている。
【００１３】
梁６は、柱１１（図２）と共に建物１の構造体の一部を成すもの（構造体梁）である。柱１１は縦材となり、梁６は横材となって建物１の構造体を形成する。この実施例では、下階２と上階４との間に位置する梁６のうち、建物１の最も外側に位置する梁６（最外梁）を指している。そして、この実施例の外壁設置構造は、建物１の最も外側に位置する梁６およびその周辺の外壁材３，５などを設置する部分の構造となっている。なお、建物１の構造体を構成する柱１１と梁６との間の空間には、厚手の断熱材１２が設置される。この断熱材１２には、例えば、厚さ１１０ｍｍ程度以上の（厚手の）高性能グラスウールなどを使用することができる。
【００１４】
柱１１や梁６は、鉄骨で構成されている。梁６には、例えば、縦面となるウェブ部６ａと、ウェブ部６ａの上下端部に位置して横面となる上下のフランジ部６ｂ，６ｃとを有するＨ型鋼などが使われる。柱１１にも梁６と同様のウェブ部とフランジ部とを有するＨ型鋼などが使われる。柱１１の場合、ウェブ部が外壁材３，５と平行になるように設置される。
【００１５】
梁６の上部には、ＡＬＣ版（軽量気泡コンクリート版）などによる床スラブ１３や、構造用合板などの床下地材１４や、床仕上材１５などが下から順に設置されることで、上階４の床部１６を形成している。床スラブ１３は、ＡＬＣ版を用いることで構造強度や耐火性を得ることができる。床スラブ１３は、梁６の上側のフランジ部６ｂにおける、ウェブ部６ａよりも（建物１の）内側となる位置に載置保持されている。
【００１６】
また、梁６（の下側のフランジ部６ｃ）の下側には、天井ランナー１７、および、鋼製野縁１８を介して下階２の天井ボード１９などが設置されることで、下階２の天井部２１を形成している。
【００１７】
そして、梁６の（建物１の）内側となる位置には、内壁２２が設けられる。内壁２２は、例えば、鋼製スタッド２３（内壁スタッド）を介して石膏ボード２４などを取付けたものとされる。鋼製スタッド２３の内面側には防湿シート２５などが貼設される。
【００１８】
そして、スタッド材８，９は、建物１の外面に外壁材３，５を設置するための部材であり、外壁材３，５を取付けることから外壁スタッドなどということができる。スタッド材８，９は、柱１１と柱１１の間に設けられる間柱（縦材）などとして設けることができる。スタッド材８，９は、梁６に沿って、外壁材３，５の幅寸法とほぼ等しい間隔を有して複数本設置される。スタッド材８，９は、梁６よりも若干建物１の外側となる位置に設置される。スタッド材８，９は、柱１１や梁６と比べて強度の低い部材で構成されている。スタッド材８，９は、所要の長さの長尺材とされる。
【００１９】
この実施例では、下階２の高さとほぼ等しい長さを有する下階２のスタッド材８と、上階４の高さとほぼ等しい長さを有する上階４のスタッド材９とが用いられている。下階２のスタッド材８は、下階２の外壁材３の取付けに用いられ、上階４のスタッド材９は、上階４の外壁材５の取付けに用いられる。スタッド材８，９は、外壁材３，５とは別々に建物１の外面に取付けることができるし、または、スタッド材８，９は、外壁材３，５と一体化したパネルの状態で建物１の外面に同時に取付けることもできる。
スタッド材８，９の上端部と、下端部または下端側の部分とには、梁６などに対する取付部分３１，３２がそれぞれ設けられる。取付部分３１，３２は、梁６の上下のフランジ部６ｂ，６ｃにネジなどの固定部材３３によって（直接または間接的に）上下方向７に固定される。
【００２０】
スタッド材８，９は、金属製などとすることができる。スタッド材８，９は、例えば、図４に示すように、一対の側面部３４と、側面部３４間を連結する外面部３５とを有する平面視ほぼＣ字断面のものとされている。外面部３５は、外壁材３，５と対向する面とされて、建物１の外側となる位置に設置される。但し、スタッド材８，９の断面形状はこれに限るものではない。
【００２１】
また、図１に示すように、スタッド材８，９の外面部３５は、梁６（のフランジ部６ｂ，６ｃの外側端部）よりも僅かに建物１の外側に位置するように設置される。スタッド材８，９の外面部３５には、テープ状の断熱材３６が、スタッド材８，９の長手方向（上下方向７）に沿って取付けられるようにしても良い。これにより、スタッド材８，９の部分に対する断熱性がテープ状の断熱材３６によって確保される。
【００２２】
そして、上記のような建物１の外壁設置構造に対し、この実施例は、以下のような構成を備えることができる。
【００２３】
（１）図１に示すように、梁６の少なくとも外側部および上部に耐火被覆材４１が設置される。
梁６の上部に耐火被覆材４１の厚みよりも高い嵩上げピース４２が取付けられる。
上階４のスタッド材９は、嵩上げピース４２の上面に取付けられる。
【００２４】
ここで、梁６の外側部は、（建物１の最も外側に位置する）梁６の外側となる部分のことである。そして、耐火被覆材４１は、梁６の上下のフランジ部６ｂ，６ｃの外側端部間を結ぶように上下に設置される。
【００２５】
梁６の上部は、梁６の上側に位置する部分のことである。具体的には、梁６の上部は、上側のフランジ部６ｂの上面のことである。そして、耐火被覆材４１の上部は、上側のフランジ部６ｂの上面に沿って設置される。なお、上記したように、上側のフランジ部６ｂの上面の内側部分に対し、耐火性を有する床スラブ１３を載置保持している場合には、耐火被覆材４１を設置するのは、上側のフランジ部６ｂの上面の外側部分（床スラブ１３よりも外側となる部分）とすれば良い。床スラブ１３と耐火被覆材４１との境界は、ほぼウェブ部６ａの位置とすれば良いが、若干どちらかにズレていても良い。
【００２６】
耐火被覆材４１は、耐火建築物の場合、梁６の全周を包囲するように設けるのが好ましい。この実施例では、梁６の外側部および上部を覆う耐火被覆材４１、および、床スラブ１３の他に、梁６の下部を覆う耐火被覆材４３と、梁６の内側部を覆う耐火被覆材４４とが設けられる。耐火被覆材４１，４３，４４には、例えば、無機繊維フェルトなどを使用することができる。耐火被覆材４１，４３，４４どうしの間や耐火被覆材４１，４４と床スラブ１３との間は、耐火性が途切れないようにするために一部重複させるようにするのが好ましい（重複部）。例えば、耐火被覆材４１は上部を床スラブ１３の端面に沿って上に立ち上げることで、耐火被覆材４１を床スラブ１３と重複させている。耐火被覆材４１の上部や床スラブ１３と干渉する場合には、断熱材１２の下端部を適宜切欠いて、干渉を防止させるようにしても良い。
【００２７】
なお、柱１１についても、柱１１の全周を包囲するように、耐火被覆材４１，４３，４４と同様の耐火被覆材４５が設置される（図２）。
【００２８】
耐火被覆材４１，４３，４４，４５の厚みは、所要の耐火性能を確保できる程度以上とすれば良いが、この実施例では、例えば、２０ｍｍ程度以上としている。
【００２９】
嵩上げピース４２は、梁６に対する上階４のスタッド材９の下端側の取付部分３２の高さを嵩上げするための金属製の部材である。嵩上げピース４２は、梁６の上側のフランジ部６ｂの上面における、上階４のスタッド材９の位置に部分的に設けられる。嵩上げピース４２は、上階４のスタッド材９の下端側の取付部分３２を取付ける部分の位置が耐火被覆材４１の厚みよりも高くなっていれば良い。
【００３０】
嵩上げピース４２は、例えば、図５に示すように、正面視ほぼハット型の金具などとされる。ハット型の嵩上げピース４２は、梁６の上部に取付けた状態で、ほぼ平坦で水平な面となる上面部４６と、この上面部４６の両側部からほぼ下方へ延びる一対の脚部４７と、脚部４７の下端から上面部４６とは反対側へ向けてほぼ水平に延びる一対の取付面部４８とを有している。そして、嵩上げピース４２の上面部４６が、上階４のスタッド材９の下端側の取付部分３２を取付ける部分（当接固定部）とされる。また、取付面部４８は、梁６の上側のフランジ部６ｂに対し上から当接されて、ネジなどの固定部材４９によって上下方向７に固定される。
【００３１】
嵩上げピース４２の高さＨは、脚部４７の長さによって設定される（嵩上げピース４２の高さＨ＞耐火被覆材４１の厚み）。脚部４７の長さは、例えば、耐火被覆材４１の厚みが２０ｍｍ程度の場合には、２０ｍｍ程度以上であれば良いが、この実施例では、若干の余裕を持たせて、例えば、２５ｍｍ〜３５ｍｍなどとしている。但し、具体的な脚部４７の長さは、上記に限るものではない。そして、耐火被覆材４１の上部の嵩上げピース４２と干渉する部分については、適宜切込みを入れて、脚部４７の間へ耐火被覆材４１の切込みを入れた部分を挿入させ得るようにする。
【００３２】
嵩上げピース４２の上面部４６は、上階４のスタッド材９を取付けられるように、上階４のスタッド材９の下端側の取付部分３２とほぼ同じ大きさおよび形状とするか、または、それよりも若干大きなものとしている。嵩上げピース４２の上面部４６、および、上階４のスタッド材９の下端側の取付部分３２には、互いに合致する位置にネジ穴５１や位置調整用のシノ穴５２などが適宜設けられる（図４（ｇ）、図５（ａ））。ネジ穴５１にはネジなどの固定部材３３が上下方向７に通される。また、嵩上げピース４２の取付面部４８には、梁６の上部に取付けるためのネジ穴５３などが設けられる。ネジ穴５３にはネジなどの固定部材４９が上下方向７に通される（図３）。
【００３３】
（２）図３、図４に示すように、上階４のスタッド材９は、下端側に、梁６の下部の位置まで延びる延長部６１を有しても良い。
図１に示すように、上階４の外壁材５は、下端側に、延長部６１に沿って梁６の下部の位置まで延びる下方拡張部６２を有しても良い。
延長部６１は、内側部分に、梁６および耐火被覆材４１との干渉を防止するための切欠部６３を有しても良い。
【００３４】
ここで、上階４のスタッド材９の下端側は、上階４のスタッド材９の下端部またはその周辺のことである。具体的には、延長部６１は、上階４のスタッド材９の梁６（や嵩上げピース４２）に対する取付部分３２よりも下側へ延びるように、スタッド材９と一体に形成されている。
【００３５】
梁６の下部の位置は、梁６の下側のフランジ部６ｃの位置、またはそれよりも下側の位置のことである。
【００３６】
延長部６１は、上階４のスタッド材９の下端側の部分を下方へ延長した部分のことである。延長部６１は、下端側の取付部分３２よりも下方へ、梁６の高さ（ウェブ部６ａの上下方向７の長さ）とほぼ等しい長さだけ延ばされている。延長部６１の下端部には、下階２のスタッド材８の上端部に対する取付面６５（図３）が一体的に設けられる。取付面６５は、下階２のスタッド材８の上端部に対し外側から重ねられて、ネジなどの固定部材６６によって外側から横方向に固定される。取付面６５や下階２のスタッド材８の上端部には、ネジなどの固定部材６６を通すためのネジ穴６７が形成される。
【００３７】
下方拡張部６２は、上階４の外壁材５の下端部を、梁６の外面側を覆うように、外壁材５の幅方向のほぼ全幅に亘って下方へ一体に延長した部分である。下方拡張部６２は、梁６を外側から隠すことで梁隠し部となる。下方拡張部６２は、上階４のスタッド材９の延長部６１（の下端）と同じ位置まで延ばしても良いし、延長部６１（の下端）とは若干異なる位置まで延ばしても良い。この実施例では、下方拡張部６２は、下階２の外壁材３の上端部に若干達しない程度の長さまで延ばすようにしている。そして、下方拡張部６２と下階２の外壁材３の上端部との間に、僅かな隙間を形成して、この隙間に小型の水切カバー部材６８などを装着するようにしている。
【００３８】
切欠部６３は、上階４のスタッド材９の側面部３４を内側から所要量（梁６などと干渉する分だけ）切欠いたものとされる。これにより、上階４のスタッド材９の延長部６１は、切欠部６３の外面側が、梁６よりも若干建物１の外側となる位置にて、スタッド材９の上端側の部分と面一に連続する外面部３５を有すると共に、内面側が段差部となった側面部３４を有するものとなる。そして、嵩上げピース４２の上面部４６に対する取付部分３２は、切欠部６３の起点の位置（梁６の上側のフランジ部６ｂに上から係止される位置）に設置される。
【００３９】
（３）図１Ａ（図３）に示すように、隣接する上階４のスタッド材９の下端部分間に、横へ延びるランナー７１が設置されても良い。
【００４０】
ここで、上階４のスタッド材９の下端部分は、上階４の外壁材５の下部と対応する位置であり、スタッド材９の下端側に延長部６１を設けた場合には、延長部６１の下端側の部分のことであり、梁６の下部の外側に相当する位置となる。
【００４１】
ランナー７１は、図６に示すように、金属製の横部材などとされる。ランナー７１は、例えば、角筒状の部材などとすることができる。但し、ランナー７１の断面形状などはこれに限るものではない。ランナー７１は、防水用の下地として使える程度の強度を有する部材（下地部材）としても良いし、または、外壁材３，５を取付けるための強度を有する部材（強度部材）としても良い。
【００４２】
ランナー７１は、隣接する上階４のスタッド材９の対向する側面部３４の間に架設状態で設置され、隣接する上階４のスタッド材９の下端部分間を一体に連結する（スタッド間ランナー）。ランナー７１は、上階４の外壁材５の下方拡張部６２の内面側に取付けられた鉄枠部７３（または枠部材）と上下方向７にほぼ合致する位置に設けても良い。鉄枠部７３は、金属製の横部材などとされる。鉄枠部７３は、外壁材３，５の上下端部の位置などに設けられて、外壁材３，５を補強する。
【００４３】
上階４のスタッド材９の下端部には、ランナー７１を取付けるための取付座７４が設けられる。取付座７４は、上階４のスタッド材９の延長部６１の側面部３４の建物１の内側となる縁部から外方へ延びるように一体に設けられる。ランナー７１は取付座７４に、ビスやリベットなどの固定部材で外側から横方向に固定される。ランナー７１の両端部や取付座７４には、ビスやリベットなどの固定部材を通すためのネジ穴７６が形成される。
【００４４】
（４）図１Ａに示すように、ランナー７１および上階４のスタッド材９の下端部に沿って、下方へ延びる防水シート７２が取付けられても良い。
【００４５】
防水シート７２は、例えば、横に延びる帯状のゴム引布などで主に構成される。防水シート７２は、ゴム引布のゴム面を外面側に向けて取付けられる。防水シート７２には、内面の上部にシールセイバーが取付けられても良い。シールセイバーは、高機能止水材のことである。防水シート７２は、外面の上部にブチルテープが貼付けられても良い。ブチルテープは、防水性や耐候性に優れた粘着テープであり、耐火建築物や気密住宅などに使われるものである。防水シート７２は、上下寸法（上下方向７の幅）がほぼ１３０ｍｍなどとされる。防水シート７２は、下階の外壁材３の上端部によって上側から覆われる
【００４６】
＜作用＞以下、この実施例の作用について説明する。
【００４７】
建物１の外壁設置構造は、建物１の外面に、下階２の外壁材３と上階４の外壁材５とを上下に分けて設置したものとなっている。この際、下階２の外壁材３は、下階２と上階４との間に位置する梁６に、上下方向７へ延びる下階２のスタッド材８を用いて取付けられ、上階４の外壁材５は、下階２と上階４との間に位置する梁６に、上下方向７へ延びる上階４のスタッド材９を用いて取付けられるようになっている。
【００４８】
この場合、下階２のスタッド材８は、上端部を下階２と上階４との間に位置する梁６に取付けられる。また、上階４のスタッド材９は、下端側の部分を下階２と上階４との間に位置する梁６に取付けられる。
【００４９】
＜効果＞この実施例によれば、以下のような効果を得ることができる。
【００５０】
（効果 １）梁６の少なくとも外側部および上部に耐火被覆材４１が設置されるようにする。これにより、耐火被覆材４１にて、梁６の少なくとも外側部および上部に対する耐火性を確保することができる。
【００５１】
この際、梁６の上部に耐火被覆材４１の厚みよりも高い嵩上げピース４２を取付けるようにする。これにより、梁６の上部に耐火被覆材４１（の上部）を設置するためのスペースを嵩上げピース４２によって、確保することができる。耐火被覆材４１の上部は、梁６の上部における、嵩上げピース４２の上面部４６よりも低い位置に設置される。
【００５２】
なお、嵩上げピース４２の部分では、耐火被覆材４１の上部を嵩上げピース４２の中（脚部４７の間）へ差し込むようにする。これにより、嵩上げピース４２の部分についても、耐火被覆材４１を設けることが可能になる。よって、梁６の上部に耐火被覆材４１が設けられない部分をなくすことができる。そのため、梁６の少なくとも外側部および上部全体に対して耐火被覆材４１を簡単、確実に施工できるようになる。
【００５３】
そして、嵩上げピース４２を設けることで、梁６の外面側や上部に対し、外壁材３，５の取付けに先行して耐火被覆材４１を設置できるようになるので、断熱材１２や他の耐火被覆材４３，４４などの施工とほぼ同時に耐火被覆材４１を施工することができ、耐火被覆材４１に対する作業性を向上できる。よって、これまでのように、梁６（の外面側）の部分を空けた状態にして下階２の外壁材３と上階４の外壁材５を取付けた後に、梁６の外面側に耐火被覆材４１を設置（し、その後に胴差や胴差状の外壁材３，５などの部材を別途設置）する必要性をなくすことができる。
【００５４】
また、上階４のスタッド材９は、嵩上げピース４２の上部（上面部４６）に取付けられても良い。嵩上げピース４２は、耐火被覆材４１の厚みよりも高くなっているため、梁６の上部に設置した耐火被覆材４１の上部は、嵩上げピース４２などによって保護されるので、嵩上げピース４２の上面部４６に上階４のスタッド材９を介して上階４の外壁材５を取付けることで、耐火被覆材４１の上部が上階４のスタッド材９と干渉したり、上階４のスタッド材９によって潰されたりすることがなくなり、耐火被覆材４１の耐火性を維持できると共に、上階４のスタッド材９および上階４の外壁材５をスムーズに取付けることができる。
【００５５】
（効果 ２）上階４のスタッド材９は、下端側に、梁６の下部の位置まで延びる延長部６１を有しても良い。または、上階４のスタッド材９は、嵩上げピース４２に対する取付部分３２よりも下側に上記した延長部６１を設けても良い。そして、上階４の外壁材５は、下端側に、延長部６１に沿って梁６の下部の位置まで延びる下方拡張部６２（梁６隠し部）を有しても良い。
【００５６】
これにより、梁６（に取付けた嵩上げピース４２の上）に上階４のスタッド材９（の下端側の取付部分３２）を取付け、上階４のスタッド材９を介して上階４の外壁材５を取付けることで、上階４のスタッド材９の延長部６１および上階４の外壁材５の下方拡張部６２が、梁６の外面を外側から覆うと共に、上階４のスタッド材９の延長部６１が下階２のスタッド材８の上端部と近接または連続されて、上階４の外壁材５の下方拡張部６２が、下階２の外壁材３の上端部と近接されることになる。
【００５７】
そのため、例えば、延長部６１を、下階２のスタッド材８の上端部と連続させて、（下階２の外壁材３の上端部と上階４の外壁材５の下端部との間の目地部に対する）防水下地にしたり、下方拡張部６２を、下階２の外壁材３の上端部と近接させて間に目地部を形成したりすることができる。
【００５８】
よって、狭い目地部には目地材や小型の水切カバー部材６８などを設置するだけで良くなり、例えば、これまでのように、梁６の外側の大きく空いた部分に、上階４の外壁材５の下端部と下階２の外壁材３の上端部との間を塞ぐための胴差（または胴差状の外壁材３，５）などの大きな部材を別途介在設置する必要をなくすことができる。胴差は、設置にコストや工数がかかると共に、上階４の外壁材５と下階２の外壁材３との外観的な繋がりを遮断し、外壁材３，５に目立つ凹凸を生じさせるので見栄え上の問題も生じるが、この実施例の場合には、胴差をなくせるので、コストや工数を削減できると共に、上階４の外壁材５と下階２の外壁材３との外観的な繋がりが良くなり、また、外壁材３，５に目立つ凹凸もなくなるので、その分、下階２と上階４との境界部分の見栄えを良くすることができる。
【００５９】
また、梁６の外側の空けた部分に対して胴差などの部材を設置する必要がなくなって、梁６の外側の部分を上階４の外壁材５の下端部（の下方拡張部６２）にて直接覆うことができるようになることで、防水性能が向上し、しかも、梁６の外側部などに耐火被覆材４１を施工した後で梁６に上階４の外壁材５を取付けるだけで耐火被覆材４１を外側から下方拡張部６２で覆って雨水などが外部から侵入し難くなるので、耐火被覆材４１の雨仕舞を即日に行うことが可能になる。
【００６０】
そして、延長部６１は、内側部分に、梁６および耐火被覆材４１との干渉を防止するための切欠部６３を有しても良い。これにより、梁６に上階４のスタッド材９を介して上階４の外壁材５を取付ける際に、上階４のスタッド材９の延長部６１および上階４の外壁材５の下方拡張部６２が、梁６の外面側などに予め取付けられた耐火被覆材４１などと干渉したり、耐火被覆材４１を潰したりするのを、切欠部６３によって防止できる。
【００６１】
（効果 ３）隣接する上階４のスタッド材９の下端部分間に、横へ延びるランナー７１が設置されても良い。これにより、隣接する上階４のスタッド材９の下端部を横へ延びるランナー７１で繋ぐことができる。これにより、隣接する上階４のスタッド材９の下端部分間の位置に横方向へ連続して延びる（防水シート７２を貼付けるための）下地部分を形成することができる。また、例えば、ランナー７１に外壁材５を取付けるための強度を持たせるようにすれば、隣接する上階４のスタッド材９の下端部分間を一体的に連結して、隣接する上階４のスタッド材９の下端側の強度をランナー７１によって高めることができる。また、外壁材５の下端側をランナー７１に対して強固に取付けることなどができるようになる。
【００６２】
（効果 ４）ランナー７１および上階４のスタッド材９の下端部に対し、これらに沿わせて、下方へ延びる防水シート７２を取付けても良い。これにより、防水シート７２によって、建物１の下階２と上階４との間の防水下地を横に連続した状態で形成することができる。
【符号の説明】
【００６３】
１      建物
２      下階
３      外壁材
４      上階
５      外壁材
６      梁
７      上下方向
８      スタッド材
９      スタッド材
４１    耐火被覆材
４２    嵩上げピース
４６    上面部
６１    延長部
６２    下方拡張部
６３    切欠部
７１    ランナー
７２    防水シート
【図１】
2020197085.tif 000003
【図１Ａ】
2020197085.tif 000004
【図２】
2020197085.tif 000005
【図３】
2020197085.tif 000006
【図４】
2020197085.tif 000007
【図５】
2020197085.tif 000008
【図６】
2020197085.tif 000009